(57)【特許請求の範囲】
【請求項１】
接続システムであって、
ハウジング(１０)と、
前記ハウジング(１０)の上に配置可能なナット(１６)と、を有し、
前記ナット(１６)は弾性素材から形成され、かつ、掛止要素(２４)が前記ナット(１６)上に形成され、前記掛止要素(２４)は、前記ハウジング(１０)の上に形成された係合掛止要素(２６)に対して掛止させることができるようになっており、
前記掛止要素(２４)は前記ナット(１６)の外周面上に環状に配置され、かつ、前記係合掛止要素(２６)は前記ハウジング(１０)の上に環状に配置されており、
環状要素(１８)が前記ハウジング(１０)の外周面上に形成されており、前記係合掛止要素(２６)は前記環状要素(１８)の内面に配置されていることを特徴とする接続システム。
【請求項２】
前記掛止要素(２４)および前記係合掛止要素(２６)は、少なくとも断面に関して、クサビ形状であることを特徴とする請求項１に記載の接続システム。
【請求項３】
ツール(５２)を保持するための少なくとも二つの作用要素(４２)が前記ナット(１６)の外周面上に配置されていることを特徴とする請求項１または請求項２に記載の接続システム。
【請求項４】
前記作用要素(４２)は、対をなして、互いに結合されていることを特徴とする請求項３に記載の接続システム。
【請求項５】
前記作用要素(４２)は、０°超の勾配を備えた作用面(４６)を有することを特徴とする請求項３または請求項４に記載の接続システム。
【請求項６】
前記ナット(１６)は内側リング(２８)および外側リング(３０)を有し、前記外側リング(３０)は前記内側リング(２８)と平行に配置され、かつ、その上には前記掛止要素(２４)が形成され、前記外側リング(３０)は前記内側リング(２８)から離間して形成されていることを特徴とする請求項１ないし請求項５のいずれか１項に記載の接続システム。
【請求項７】
請求項１ないし請求項６のいずれか１項に記載の接続システムを有するプラグコネクター。
【発明の詳細な説明】
【技術分野】
【０００１】
本発明は、ハウジングを有すると共に、このハウジング上に配置できるナットを有する接続システムに関する。本発明はまた、このような接続システムを有するプラグコネクターに関する。
【背景技術】
【０００２】
例として、ハウジングは、このハウジング内でケーブルの一つ以上の導体と接続され、接触する一つ以上のコンタクト要素を保持するために使用される。ケーブル内の導体がコンタクト要素に接続された後、ユニオンナットとも呼ばれるナットがハウジングに対して普通にねじ込まれ、そして特定のトルクで締め付けられる。このために、ナットは、通常、内ネジを備えたスリーブ体を有し、六角体がスリーブ体の上に配置され、これを用いて、ナットをハウジングに対して取り付け、そしてそれから取り外すことができる。とりわけ、ナットは、水分およびダストに対して、接点との、挿入されたケーブル内の導体の接触領域においてハウジングをシールするために使用される。さらに、ナットは、接触がなされた際に、ケーブル内の導体のための歪みリリーフを提供できる。
【発明の概要】
【発明が解決しようとする課題】
【０００３】
本発明は、ナットがハウジングから意図せずして外れるのを阻止することができる解決策を提供するという目的に基づくものである。
【課題を解決するための手段】
【０００４】
初めに、より詳しく言及したタイプの接続システムの場合、この目的は、ナットが弾性素材から形成され、かつ、掛止要素がナット上に形成され、この掛止要素はハウジング上に形成された係合掛止要素に対して掛止可能である本発明に基づいて達成される。
【０００５】
上記問題はまた、請求項１ないし請求項９に記載されたように設計された接続システムを備えるプラグコネクターによって解決される。
【０００６】
本発明の好都合な改良および有利な展開は、従属請求項に記載されている。
【０００７】
ナット上の掛止要素およびハウジング上の係合掛止要素(これらは互いに掛止できる)に係る本発明に基づく実施形態は、ナットとハウジングとの間の確実な接続を実現することを可能とし、これは、ハウジングから、特に手で、ナットが意図せずして緩められるのを阻止する。ナットがハウジングに対してねじ込まれるとき、ナット上の掛止要素はハウジング上の係合掛止要素に引っ掛かり、すなわちそれと掛止する。この掛止は、単にハウジングのネジからナットを緩めることによってはナットをハウジングから取り外すことはできないことを意味する。なぜなら、掛止がこれを阻止するからである。掛止はそれゆえ、まず第一に、ネジを緩める前に、係合掛止要素から掛止要素を外すことによって解除する必要がある。このために、ナットは弾性素材から形成され、これは、弾性的に変形可能な、たとえばプラスチックである。掛止を解除するために、ナットの長手方向側面はナットの中心軸線の方向に押圧され、係合掛止要素から掛止要素を外すことが可能となる。掛止要素および係合掛止要素がもはや互いに係合しなくなるや否や、ナットをハウジングから緩めかつ／またはそれから引き抜くことができる。この場合、その弾性にもかかわらず、ナットの素材は、好ましくは、ナットが、ツール(これは、ナットの外周面にわたってナットの長手方向側面に沿って押し付けられ、これによってそれを圧縮する)によってのみ、その長手方向側面によって圧縮できるように、曲がり難い形状を有するよう設計される。
【０００８】
本発明のある好ましい改良によれば、掛止要素はナット上に環状に配置され、かつ、係合掛止要素はハウジング上に環状に配置される。環状構造体は、好ましくは、この例では、ナットの、そしてハウジングの全周面を取り囲むように設けられ、これによって、ナットを、特に確実に、ハウジングに対して取り付けることが、すなわち掛止させることが可能となる。
【０００９】
掛止要素は、好ましくは、ナットの外周面上に配置される。掛止要素は、したがって、好ましくは、ナットのネジあるいは内ネジとは異なるナットの表面に形成され、それによって、ナットはハウジングに対してあるいはハウジング上のネジにねじ込まれる。掛止要素の、そしてネジの、異なる表面への配置によって、それらが互いに影響を及ぼすことなく、ネジおよび掛止要素を互いに独立して作用させることが可能となる。
【００１０】
好ましくは、さらに、ハウジングの外周面上に形成されることになる環状要素のための準備がなされ、係合掛止要素が環状要素の内面に配置される。付加的な環状要素(この上に係合掛止要素が配置される)の準備によって、係合掛止要素がハウジングのネジの、特に外ネジ(これを介してナットがハウジングに対してねじ込まれる)の領域に配置されるのを阻止することができる。これによって、ハウジング上に配置されたネジおよびハウジング上に配置された係合掛止要素が、ナットがハウジングに対して取り付けられているか、あるいはハウジングから外されているとき、互いに影響し合わないようにすることが可能となる。この場合、環状要素は、好ましくは、ナットがハウジングに対して取り付けられる方向において、ハウジング上に形成されるネジの真下に配置される。環状要素は、好ましくは、同時にネジの外周面を取り囲むような環状の段部あるいはカラーを形成し、その上には、ハウジングに対して取り付けられるとき、ナットが載ることができ、それはこうして支持することができる。これによって、ハウジングに対するナットの取り付けをさらに改善することが可能となる。
【００１１】
さらに、掛止要素および係合掛止要素は、少なくとも断面に関して、好ましくは、クサビの形態である。クサビの形態の掛止要素の、そして係合掛止要素の構成は、好ましくは、ナットが、それをハウジングに対して取り付けるために回転させられたとき、掛止要素が係合掛止要素の上でスライドできるように設計されるが、これは、クサビ形状の掛止要素および係合掛止要素の側面すなわち長手方向面(これは０°超の勾配を備える)が互いにスライドできるからである。ハウジングに対するナットのねじ込みからハウジングからナットを緩めるための反対の回転方向へとナットの回転方向が変化するや否や、掛止要素は係合掛止要素に対して引っ掛けられるが、これは、クサビ状の掛止要素および係合掛止要素の端面(これは直線状である)が互いに当接し、これによって、それらが互いに関してスライドするのを阻止するからである。これによって、多大な労力を要さずに、ハウジングに対してナットを取り付けることが可能となり、同時に、ハウジングからナットが意図せずして外れたり、あるいは緩むことが阻止される。
【００１２】
本発明のさらなる好ましい改良によれば、ツールを保持するための少なくとも二つの作用要素は、ナットの外周面上に配置される。ナット上に作用要素を形成することによって、掛止を解除するために、その長手方向側面上でのナットの圧縮を簡素化することができるが、これは、ツールが掛止を解除するために作用要素を押圧し、これによって、大きな力を加えることなく、その中心軸線の方向にナットの長手方向側面あるいは外周面を圧縮することが可能となるからである。作用要素は、好ましくは、ブロックあるいはボックスの形態であり、しかも、ナットの外周面(これは長手方向面上で延在する)を取り囲むように円形に割り当てられた状態で配置される。この場合、六つの作用要素が好ましくは外周面上に配置され、これによって、たとえばヘキサゴンレンチによって、作用要素を介して、掛止を緩めることが可能となる。
【００１３】
作用要素は、好ましくは、対をなして互いに連結され、この結果、互いに対を成して配置される二つの作用要素は、たとえばウエブを介して、互いに連結される。対を成すような作用要素の連結によって、作用要素に対してツールによって加える必要がある力を低減することが可能となる。さらに、作用要素の堅牢さおよび耐摩耗性が改善される。
【００１４】
作用要素の操作のために作用要素に対してツールを押し付けるのを一層容易なものとするために、作用要素が０°超の勾配を備えた作用面を有するのが好ましい。作用面は、それを介して、作用要素がツールによって操作される面である。作用面の勾配は、この例では、ナットの取り付け方向の方向に増大する。作用要素あるいは作用要素の作用面は、それゆえ、好ましくは円錐形である。
【００１５】
本発明のさらに有利な改良によれば、ナットは内側リングおよび外側リングを有するが、外側リングは内側リングと平行に配置され、かつ、その上には、掛止要素が形成され、外側リングは内側リングから距離をおいて形成される。ナットのネジは好ましくは内側リング上に形成される。外側リングの、そして内側リングの構成によって、掛止要素を、そして適切ならば、作用要素を、ナット上のネジから物理的に切り離して配置することが可能となる。距離を置いた配置によって、内側リングと外側リングとの間にギャップが形成される。このギャップは、ナットの弾性を、特に歯付き要素の、そして、適切ならば、外側リング上に配置された作用要素の領域において増大させることができ、これによって、ツールによる係合掛止要素に対する掛止要素の掛止の解除を簡素化することが可能になることを意味するが、これは、ギャップのために、その中心軸線の方向にナットを圧縮するためには小さな力を加えればよく、外側リングは内側リングの方向にギャップによって変形させられるからである。それゆえ、内側リングの、したがってこの内側リングに形成されたナットネジの同時変形が阻止される。
【００１６】
以下、本発明について、好ましい実施形態に基づき図面を参照して詳しく説明する。
【図面の簡単な説明】
【００１７】
【図１】本発明に基づく接続システムのハウジングの概略図である。
【図２】ハウジング上に形成される係合掛止要素の拡大概略図である。
【図３】本発明に基づく接続システムのナットの概略図である。
【図４】図１に示すハウジングを有し、かつ、図３に示すナットを有し、かつ、ナットを取り外すためにナットに対して嵌め込まれたツールを有する、本発明に基づく接続システムの概略図である。
【発明を実施するための形態】
【００１８】
図１は、ハウジング１０を、たとえばプラグコネクターのハウジングを大まかに示している。ハウジング１０は、たとえば、ケーブル内の導体(図示せず)と接触するためのコンタクト要素(図示せず)を保持するための内部領域１２を備えた円筒形である。その外周面において、ハウジング１０はネジ１４を有するが、それに対しては、ナット１６を、図３に示すように、ねじ込むことによって取り付けることができる。さらに、アタッチメントあるいはカラーの形態の環状要素１８が、ハウジング１０の外周面上に一体的に形成されており、環状要素１８はハウジング１０の外周面から突出し、かつ、外周面を完全に取り囲んでおり、したがって環状要素はある種のカラーあるいは段部を形成している。環状要素１８は、ハウジング１０へのナット１６の取り付け方向２０においてネジ１４の真下に形成され、したがってナット１６は、図４に示すように、それがハウジング１０に取り付けられたとき、環状要素８に着座できる。環状要素１８は周方向外側エッジ２２を有するが、係合掛止要素２６(これはナット１６上に形成された掛止要素２４と係合する)は、環状要素１８のエッジ２２の内面(これネジ１４の方向に面する)上に形成されている。掛止要素２４および係合掛止要素２６は、掛止歯の形態である。互いに並んで配置された複数の係合掛止要素２６は、環状要素１８のエッジ２２の全周方向内面にわたって環状に形成され、係合掛止要素２６は、少なくとも断面に関して、クサビ形状である。
【００１９】
図２は、ハウジング１０の係合掛止要素２６の詳細図であり、この例では、係合掛止要素２６がそれぞれ第１のセクション６０および第２のセクション６２を有することを示しており、第２のセクション６２はクサビの形態であり、すなわち、係合掛止要素２６の長手方向側面３６は０°超の勾配を備える。第１のセクション６０、すなわち第１のセクション６０の長手方向側面は、対照的に、勾配＝０°で形成されている。掛止は、ナット１６上の対応する掛止要素２４が第１のセクション６０を、続いて第２のセクション６２を通過し、そして第２のセクション６２上の係合掛止要素２６の端面４０に引っ掛かるや否や実現される。ナット１６の掛止要素２４は、好ましくは、同様に、それぞれ、勾配＝０°の長手方向側面を備えた第１のセクションと、勾配が０°超のクサビ形状長手方向側面を備える、これに続いて配置された第２のセクションとを有する。第２のセクション６２に加えて、このような第１のセクション６０の構成は、掛止前に係合掛止要素２６に沿った掛止要素２４のスライド動作を延長することを可能とする。
【００２０】
図３は本発明に基づくナット１６を大まかに示している。ナット１６は弾性素材から形成されておりかつ、内側リング２８および外側リング３０を有するが、これは内側リング２８と平行であり、内側リング２８は、外側リング３０から離間して配置されており、したがってギャップ３２が内側リング２８と外側リング３０との間に形成されている。ハウジング１０に対してナット１６を確実に掛止させるための掛止要素２４が、外側リング外周面上において正確であるように、ナット１６の外周面上に形成されており、掛止要素２４は、ハウジング１０の上の係合掛止要素２６と同じ様式で、互いに並んで環状に配置されており、かつ、少なくとも断面に関してクサビの形態である。少なくとも断面に関してクサビ形状の掛止要素２４の、そして係合掛止要素２６の形態は、ハウジングに対してナットを取り付けるためにナットを回転させたとき、掛止要素２４は係合掛止要素２６の上をスライドできるように設計されているが、これは、クサビ形状の掛止要素２４および係合掛止要素２６の側面すなわち長手方向側面３４,３６(これは０°超の勾配を有する)が互いにスライドできるからである。ハウジング１０からナット１６を緩め、すなわち取り外すために、ハウジング１０に対するナット１６のねじ込みから反対の回転方向へとナット１６の回転方向が変化するや否や、掛止要素２４は、互いに当接するクサビ形状の掛止要素２４および係合掛止要素２６の直線状端面３８,４０によって係合掛止要素２６に引っ掛かり、これによって、それらが互いに対してスライドするのが阻止される。
【００２１】
さらに、六つの作用要素４２が、外側リング３０の外周面上において正確であるように、ナット１６の外周面上に、ナット１６の外周面を取り囲むように環状に配置されるが、二つの作用要素４は各場合にウエブ４４を介して対を成すように互いに連結される。作用要素４２は作用面４６を有するが、これは、ナット１６から離れる方向に面しており、しかも、図４に示すように、それに対して、ハウジング１０からナット１６を緩めるためにツールを嵌め込むことができる。作用面４６は円錐形であり、すなわちそれは、第２の端部５０に向かって第１の端部(これは掛止要素２４に隣接している)から０°超の勾配を有し、この結果、作用面４６の勾配は第１の端部４８から第２の端部５０に向かって増大する。これによって、押し込み方向５４にツール５２を押し込むのが一層容易なものとなる。というのは、作用面４６が、ツール５２のための、ある種のガイドとして機能するからである。
【００２２】
やはり図３に示すように、部分的なネジ５６が内側リング２８の内面に形成されており、内側リング２８の内面の小さな区間にのみ延在している。ハウジング１０上のネジ１４は切欠き５８を有するが、これは、部分的なネジ５６のサイズに対応するよう設計されており、この結果、ナット１６がハウジング１０に取り付けられるとき、ナット１６はネジ１４のネジセクション全体にわたってねじ込まれる必要はなく、しかしながら押し込むことができ、そして、ハウジング１０に対して取り付けるためには、１８０°未満の回転量だけナット１６を回転させるだけでよい。これによって、さらに著しく容易に、かつ、素早く、ナット１６をハウジング１０に対して取り付けることが可能となる。
【００２３】
図４は本発明に基づく接続システムを示しており、図２に示すようなナット１６は、図１に示すようなハウジング１０に対して取り付けられる。ナット１６(これはハウジング１９に取り付けられている)を取り外すために、ヘキサゴンレンチの形態のツール５２が、作用要素４２の作用表面４６に対して押し付けられる。ツール５２が、押し込み方向５４に押し付けられるとき、ナット１６の外側リング３０は、内側リング２８の方向に、すなわちナット１６の中心の方向に、その上に配置された掛止要素２４と共に圧縮され、その結果、掛止要素２４をハウジング１０の係合掛止要素２６に対する掛止状態から解放することができ、そしてそれを非掛止状態とすることができ、こうしてナット１６をハウジング１０から緩め、そこから抜き取ることが可能となる。
【符号の説明】
【００２４】
１０  ハウジング
１２  内部領域
１４  ネジ
１６  ナット
１８  環状要素
２０  取り付け方向
２２  エッジ
２４  掛止要素
２６  係合掛止要素
２８  内側リング
３０  外側リング
３２  ギャップ
３４  長手方向側面
３６  長手方向側面
３８  端面
４０  端面
４２  作用要素
４４  ウエブ
４６  作用面
４８  第１の端部
５０  第２の端部
５２  ツール
５４  押し込み方向
５６  ネジ
５８  切欠き
６０  第１のセクション
６２  第２のセクション
【図１】
0005555733.tif 000002
【図２】
0005555733.tif 000003
【図３】
0005555733.tif 000004
【図４】
0005555733.tif 000005